【手続補正書】
【提出日】令和3年11月10日(2021.11.10)
【手続補正１】
【補正対象書類名】特許請求の範囲
【補正対象項目名】全文
【補正方法】変更
【補正の内容】
【特許請求の範囲】
【請求項１】
試料体が配置される試験室と、
温度を含む環境を生成する環境生成装置が配置された環境生成室と、
前記試験室と前記環境生成室とを接続する接続流路と、
前記接続流路を介した前記試験室と前記環境生成室との連通を遮断する閉鎖位置と、前記接続流路を介した前記試験室と前記環境生成室との連通を遮断しない開放位置と、の間で移動可能な開閉部材と、を備え、
前記開閉部材に吸水シートが設けられ、
前記吸水シートは、前記開閉部材が前記閉鎖位置に位置する状態で、前記試験室内の空気と前記環境生成室内の空気のうち、より温度が低い方の空気に接する前記開閉部材の部分に少なくとも配置されていることを特徴とする環境試験装置。
【請求項２】
前記環境生成装置が、前記環境生成室内の空気を加熱する加熱装置を含み、
前記開閉部材は、
前記試験室内に配置され、
断熱部材と、
前記断熱部材に配置されるパッキンとを有し、
前記パッキンは、前記断熱部材の、前記閉鎖位置に位置する状態で前記接続流路と対向する側の面に配置され、
前記吸水シートが、前記断熱部材の前記対向する側の面のうち、前記パッキンよりも外側の部分に少なくとも配置されていることを特徴とする請求項１に記載の環境試験装置。
【請求項３】
前記吸水シートが前記開閉部材からはみ出していることを特徴とする請求項１又は２に記載の環境試験装置。
【請求項４】
前記環境生成装置が、前記環境生成室内の空気を冷却する冷却装置を含み、
前記開閉部材は、
前記試験室内に配置され、
断熱部材と、
前記断熱部材に配置されるパッキンとを有し、
前記パッキンは、前記断熱部材の、前記閉鎖位置に位置する状態で前記接続流路と対向する側の面に配置され、
前記吸水シートが、前記断熱部材の前記対向する側の面のうち、前記パッキンよりも内側の部分に少なくとも配置されていることを特徴とする請求項１に記載の環境試験装置。
【請求項５】
前記吸水シートが、前記断熱部材の前記対向する側の面の全域にわたって配置されていることを特徴とする請求項２〜４のいずれかに記載の環境試験装置。
【請求項６】
前記開閉部材は、回転軸に回転自在に支持され、前記回転軸を中心に回転することによって、前記閉鎖位置と前記開放位置との間で移動することを特徴とする請求項１〜５のいずれかに記載の環境生成装置。
【手続補正２】
【補正対象書類名】明細書
【補正対象項目名】０００６
【補正方法】変更
【補正の内容】
【０００６】
第１の発明に係る環境試験装置は、試料体が配置される試験室と、温度を含む環境を生成する環境生成装置が配置された環境生成室と、前記試験室と前記環境生成室とを接続する接続流路と、前記接続流路を介した前記試験室と前記環境生成室との連通を遮断する閉鎖位置と、前記接続流路を介した前記試験室と前記環境生成室との連通を遮断しない開放位置と、の間で移動可能な開閉部材と、を備え、前記開閉部材に吸水シートが設けられ、前記吸水シートは、前記開閉部材が前記閉鎖位置に位置する状態で、前記試験室内の空気と前記環境生成室内の空気のうち、より温度が低い方の空気に接する前記開閉部材の部分に少なくとも配置されている。
【手続補正３】
【補正対象書類名】明細書
【補正対象項目名】０００７
【補正方法】変更
【補正の内容】
【０００７】
開閉部材を閉鎖位置に位置させた状態で、環境生成室内に温度を含む環境を生成した後に、開閉部材を開放位置に移動させて、試験室内を環境生成室に対応する環境としたときには、開閉部材の、閉鎖位置に位置する状態で、試験室内の空気及び環境生成室内の空気のうち、より温度が低いほうの空気に接していた部分に、結露が発生することがある。そして、結露によって発生した水滴が試験室内に飛散し、試験室内の試料体に付着してしまう虞がある。そして、試料体に水滴が付着した場合には、試料体が故障してしまうなど、正確な試験結果を得られない虞がある。
【手続補正４】
【補正対象書類名】明細書
【補正対象項目名】０００８
【補正方法】変更
【補正の内容】
【０００８】
本発明では、開閉部材の、閉鎖位置に位置する状態で、試験室内の空気及び環境生成室内の空気のうち、より温度が低い方の空気に接する部分に、吸水シートが配置されている。これにより、上述したような結露によって発生した水分が吸水シートに吸収され、水滴が試料体に付着してしまうのを抑制することができる。
【手続補正５】
【補正対象書類名】明細書
【補正対象項目名】０００９
【補正方法】変更
【補正の内容】
【０００９】
第２の発明に係る環境試験装置は、第１の発明に係る環境試験装置において、前記環境生成装置が、前記環境生成室内の空気を加熱する加熱装置を含み、前記開閉部材は、前記試験室内に配置され、断熱部材と、前記断熱部材に配置されるパッキンとを有し、前記パッキンは、前記断熱部材の、前記閉鎖位置に位置する状態で前記接続流路と対向する側の面に配置され、前記吸水シートが、前記断熱部材の前記対向する側の面のうち、前記パッキンよりも外側の部分に少なくとも配置されている。
【手続補正６】
【補正対象書類名】明細書
【補正対象項目名】００１０
【補正方法】変更
【補正の内容】
【００１０】
開閉部材を閉鎖位置に位置させた状態で、環境生成室内の空気を試験室内の空気よりも高温にした後に、開閉部材を開放位置に移動させて、試験室内を環境生成室に対応する環境とするときには、開閉部材の、閉鎖位置に位置する状態で試験室内の空気に接する部分に結露が発生する可能性がある。具体的には、開閉部材が閉鎖位置に位置する状態で、断熱部材の上記対向する側の面のうちパッキンよりも外側の部分が、試験室内の空気に接する。
【手続補正７】
【補正対象書類名】明細書
【補正対象項目名】００１１
【補正方法】変更
【補正の内容】
【００１１】
そこで、本発明では、断熱部材の上記対向する側の面のうち、少なくともパッキンよりも外側の部分に、吸水シートが配置されている。これにより、上述したような結露によって発生した水分が吸水シートに吸収され、水滴が試料体に付着してしまうのを抑制することができる。
【手続補正８】
【補正対象書類名】明細書
【補正対象項目名】００１２
【補正方法】変更
【補正の内容】
【００１２】
第３の発明に係る環境試験装置は、第２の発明に係る環境試験装置において、前記吸水シートが前記開閉部材からはみ出している。
【手続補正９】
【補正対象書類名】明細書
【補正対象項目名】００１３
【補正方法】変更
【補正の内容】
【００１３】
本発明では、パッキンに結露が生じることによって発生した水滴が、パッキンから開閉部材を超えて試験室内に飛散しようとするときに、この水滴を吸水シートの開閉部材からはみ出している部分によって捕捉することができる。これにより、水滴が試料体に付着してしまうのを抑制することができる。
【手続補正１０】
【補正対象書類名】明細書
【補正対象項目名】００１４
【補正方法】変更
【補正の内容】
【００１４】
第４の発明に係る環境試験装置は、第１の発明に係る環境試験装置において、前記環境生成装置が、前記環境生成室内の空気を冷却する冷却装置を含み、前記開閉部材は、前記試験室内に配置され、断熱部材と、前記断熱部材に配置されるパッキンとを有し、前記パッキンは、前記断熱部材の、前記閉鎖位置に位置する状態で前記接続流路と対向する側の面に配置され、前記吸水シートが、前記断熱部材の前記対向する側の面のうち、前記パッキンよりも内側の部分に少なくとも配置されている。
【手続補正１１】
【補正対象書類名】明細書
【補正対象項目名】００１５
【補正方法】変更
【補正の内容】
【００１５】
開閉部材を閉鎖位置に位置させた状態で、環境生成室内の空気を試験室内の空気よりも低温にした後に、開閉部材を開放位置に移動させて、試験室内を環境生成室に対応する環境とするときには、開閉部材の、閉鎖位置に位置する状態で環境生成室内の空気に接する部分に結露が発生する可能性がある。具体的には、開閉部材が閉鎖位置に位置する状態で、断熱部材の上記対向する側の面のうちパッキンよりも内側の部分が、環境生成室内の空気に接する。
【手続補正１２】
【補正対象書類名】明細書
【補正対象項目名】００１６
【補正方法】変更
【補正の内容】
【００１６】
そこで、本発明では、断熱部材の上記対向する側の面のうち、少なくともパッキンよりも内側の部分に、吸水シートが配置されている。これにより、上述したような結露によって発生した水分が吸水シートに吸収され、水滴が試料体に付着してしまうのを抑制することができる。
【手続補正１３】
【補正対象書類名】明細書
【補正対象項目名】００１７
【補正方法】変更
【補正の内容】
【００１７】
第５の発明に係る環境試験装置は、第２〜第４のいずれかの発明に係る環境試験装置において、前記吸水シートが、前記断熱部材の前記対向する側の面の全域にわたって配置されている。
【手続補正１４】
【補正対象書類名】明細書
【補正対象項目名】００２０
【補正方法】変更
【補正の内容】
【００２０】
開閉部材が回転することで閉鎖位置と開放位置との間で移動する場合には、開閉部材の回転の際に、結露によって生じた水滴が飛散しやすい。したがって、このような場合には、開閉部材の上述した部分に吸水シートを配置する意義は特に大きい。
【手続補正１５】
【補正対象書類名】明細書
【補正対象項目名】００２２
【補正方法】変更
【補正の内容】
【００２２】
【図１】本発明の実施形態に係る恒温恒湿装置の概略構成図である。
【図２】（ａ）は閉鎖位置に位置する状態のダンパ周辺部分の断面図であり、（ｂ）は開放位置に位置する状態のダンパ周辺部分の断面図である。
【図３】積層方向から見たダンパの図である。
【図４】（ａ）は変形例１の図２（ａ）に対応する図であり、（ｂ）は変形例１の図２（ｂ）に対応する図である。
【図５】（ａ）は変形例２の図１に対応する図であり、（ｂ）は（ａ）のダンパを拡大した図である。
【手続補正１６】
【補正対象書類名】明細書
【補正対象項目名】００２９
【補正方法】変更
【補正の内容】
【００２９】
ダンパ３１は、接続流路１６に対して設けられたものである。試験室１１の図１における左上端部には、図１の紙面垂直方向に延びた回転軸３１ａが設けられ、ダンパ３１が、回転軸３１ａに回転自在に支持されている。そして、ダンパ３１は、回転軸３１ａを中心に回転することで、図１に実線で示す閉鎖位置と、図１に破線で示す開放位置との間で移動可能となっている。ダンパ３１が閉鎖位置に位置する状態では、接続流路１６の下端（試験室１１側）の開口１６ａがダンパ３１によって塞がれ、接続流路１６を介した試験室１１と環境生成室２１との連通が遮断される。ダンパ３１が開放位置に位置する状態では、接続流路１６の開口１６ａはダンパ３１によって塞がれず、接続流路１６を介して試験室１１と環境生成室２１とが連通する。
【手続補正１７】
【補正対象書類名】明細書
【補正対象項目名】００３０
【補正方法】変更
【補正の内容】
【００３０】
ダンパ３２は、接続流路１７に対して設けられたものである。試験室１１の図１における右上端部には、図１の紙面垂直方向に延びた回転軸３２ａが設けられ、ダンパ３２が、回転軸３２ａに回転自在に支持されている。そして、ダンパ３２は、回転軸３２ａを中心に回転することで、図１に実線で示す閉鎖位置と、図１に破線で示す開放位置との間で移動可能となっている。ダンパ３２が閉鎖位置に位置する状態では、接続流路１７の下端（試験室１１側）の開口１７ａがダンパ３２によって塞がれ、接続流路１７を介した試験室１１と環境生成室２１との連通が遮断される。ダンパ３２が開放位置に位置する状態では、接続流路１７の開口１７ａはダンパ３２によって塞がれず、接続流路１７を介して試験室１１と環境生成室２１とが連通する。
【手続補正１８】
【補正対象書類名】明細書
【補正対象項目名】００３１
【補正方法】変更
【補正の内容】
【００３１】
ダンパ３３は、接続流路１８に対して設けられたものである。試験室１１の図１における左下端部には、図１の紙面垂直方向に延びた回転軸３３ａが設けられ、ダンパ３３が、回転軸３３ａに回転自在に支持されている。そして、ダンパ３３は、回転軸３３ａを中心に回転することで、図１に示す閉鎖位置と、図１に破線で示す開放位置との間で移動可能となっている。ダンパ３３が閉鎖位置に位置する状態では、接続流路１８の上端（試験室１１側）の開口１８ａがダンパ３３によって塞がれ、接続流路１８を介した試験室１１と環境生成室２６との連通が遮断される。ダンパ３３が開放位置に位置する状態では、接続流路１８の開口１８ａはダンパ３３によって塞がれず、接続流路１８を介して試験室１１と環境生成室２６とが連通する。
【手続補正１９】
【補正対象書類名】明細書
【補正対象項目名】００３２
【補正方法】変更
【補正の内容】
【００３２】
ダンパ３４は、接続流路１９に対して設けられたものである。試験室１１の図１における右下端部には、図１の紙面垂直方向に延びた回転軸３４ａが設けられ、ダンパ３４が、回転軸３４ａに回転自在に支持されている。そして、ダンパ３４は、回転軸３４ａを中心に回転することで、図１に実線で示す閉鎖位置と、図１に破線で示す開放位置との間で移動可能となっている。ダンパ３４が閉鎖位置に位置する状態では、接続流路１９の上端（試験室１１側）の開口１９ａがダンパ３４によって塞がれ、接続流路１９を介した試験室１１と環境生成室２６との連通が遮断される。ダンパ３４が開放位置に位置する状態では、接続流路１９の開口１９ａはダンパ３４によって塞がれず、接続流路１９を介して試験室１１と環境生成室２６とが連通する。
【手続補正２０】
【補正対象書類名】明細書
【補正対象項目名】００４４
【補正方法】変更
【補正の内容】
【００４４】
＜ダンパ＞
次に、ダンパ３１〜３４について詳細に説明する。ダンパ３１は、図２（ａ）、（ｂ）、図３に示すように、断熱ユニット５１（本発明の「断熱部材」）と、吸水シート５２と、パッキン５３とを備えている。なお、以下では、ダンパ３１について説明するときに、後述するように断熱ユニット５１と吸水シート５２とパッキン５３とが積層される方向を積層方向とし、ダンパ３１が上記閉鎖位置に位置する状態での接続流路１６側、及び、接続流路１６と反対側を、それぞれ、積層方向の一方側、及び、積層方向の他方側として説明を行う。ダンパ３２〜３４についても同様である。
【手続補正２１】
【補正対象書類名】明細書
【補正対象項目名】００４９
【補正方法】変更
【補正の内容】
【００４９】
ダンパ３１が上述の閉鎖位置に位置する状態では、図２（ａ）に示すように、断熱ユニット５１の対向面５１ａが、試験室１１の上側の内壁面１１ａと対向する。そして、対向面５１ａ上に配置されたパッキン５３が、試験室１１の上側の内壁面１１ａの、接続流路１６の開口１６ａを取り囲む部分に押し付けられ、弾性変形して密着する。これにより、接続流路１６の開口１６ａがダンパ３１に塞がれて、接続流路１６を介した試験室１１と環境生成室２１との連通が遮断される。
【手続補正２２】
【補正対象書類名】明細書
【補正対象項目名】００５１
【補正方法】変更
【補正の内容】
【００５１】
また、ダンパ３１は、図２（ｂ）に示すように、上記開放位置に位置する状態では、試験室１１の上側の内壁面１１ａから離れており、接続流路１６の開口１６ａを塞いでいない。この状態では、接続流路１６を介して試験室１１と環境生成室２１とが連通している。
【手続補正２３】
【補正対象書類名】明細書
【補正対象項目名】００５３
【補正方法】変更
【補正の内容】
【００５３】
そして、ダンパ３２が上述の閉鎖位置に位置する状態では、パッキン５３が、試験室１１の内壁面１１ａの、接続流路１７の開口１７ａを取り囲む部分に押し付けられる。これにより、上述したのと同様、接続流路１７の開口１７ａがダンパ３２に塞がれて、接続流路１７を介した試験室１１と環境生成室２１との連通が遮断される。また、この状態では、ダンパ３２は、断熱ユニット５１の対向面５１ａのうち、パッキン５３よりも外側の部分が試験室１１内の空気と接し、パッキン５３よりも内側の部分が環境生成室２１内の空気と接する。
【手続補正２４】
【補正対象書類名】明細書
【補正対象項目名】００５４
【補正方法】変更
【補正の内容】
【００５４】
また、ダンパ３２は、上述の開放位置に位置する状態では、試験室１１の上側の内壁面１１ａから離れており、接続流路１７の下端の開口１７ａを塞いでいない。この状態では、接続流路１７を介して試験室１１と環境生成室２１とが連通している。
【手続補正２５】
【補正対象書類名】明細書
【補正対象項目名】００５６
【補正方法】変更
【補正の内容】
【００５６】
そして、ダンパ３３が上述の閉鎖位置に位置する状態では、パッキン５３が、試験室１１の下側の内壁面１１ｂの、接続流路１８の開口１８ａを取り囲む部分に押し付けられる。これにより、上述したのと同様、接続流路１８の開口１８ａがダンパ３３に塞がれて、接続流路１８を介した試験室１１と環境生成室２６との連通が遮断される。また、この状態では、ダンパ３３は、断熱ユニット５１の対向面５１ａの面のうち、パッキン５３よりも外側の部分が試験室１１内の空気と接し、パッキン５３よりも内側の部分が環境生成室２６内の空気と接する。
【手続補正２６】
【補正対象書類名】明細書
【補正対象項目名】００５７
【補正方法】変更
【補正の内容】
【００５７】
また、ダンパ３３は、上述の開放位置に位置する状態では、試験室１１の内壁面１１ｂから離れており、接続流路１８の上端の開口１８ａを塞いでいない。この状態では、接続流路１８を介して試験室１１と環境生成室２６とが連通している。
【手続補正２７】
【補正対象書類名】明細書
【補正対象項目名】００５９
【補正方法】変更
【補正の内容】
【００５９】
そして、ダンパ３４が上述の閉鎖位置に位置する状態では、パッキン５３が、試験室１１の内壁面１１ｂの、接続流路１９の開口１９ａを取り囲む部分に押し付けられる。これにより、上述したのと同様、接続流路１９の開口１９ａがダンパ３４に塞がれて、接続流路１９を介した試験室１１と環境生成室２６との連通が遮断される。また、この状態では、ダンパ３４は、断熱ユニット５１の対向面５１ａのうち、パッキン５３よりも外側の部分が試験室１１内の空気と接し、パッキン５３よりも内側の部分が環境生成室２６内の空気と接する。
【手続補正２８】
【補正対象書類名】明細書
【補正対象項目名】００６０
【補正方法】変更
【補正の内容】
【００６０】
また、ダンパ３４は、上述の開放位置に位置する状態では、試験室１１の下側の内壁面１１ｂから離れており、接続流路１９の上端の開口１９ａを塞いでいない。この状態では、接続流路１９を介して試験室１１と環境生成室２６とが連通している。
【手続補正２９】
【補正対象書類名】明細書
【補正対象項目名】００６３
【補正方法】変更
【補正の内容】
【００６３】
そこで、本実施形態では、ダンパ３１、３２において、閉鎖位置に位置する状態で、断熱ユニット５１の対向面５１ａのうちパッキン５３よりも外側の部分が、試験室１１内の空気に接するのに対して、当該部分に吸水シート５２が配置されている。これにより、ダンパ３１、３２を開く際に当該部分に結露して発生した水分が、吸水シート５２に吸収され、水滴が試料体Ｗに付着してしまうのを抑制することができる。また、パッキン５３において、ダンパ３１、３２が閉鎖位置に位置する状態で、試験室１１内の空気に接する部分に、ダンパ３１、３２を開く際に結露が生じたとしても、結露水が吸水シート５２に流れ落ちる等し、吸水シート５２により吸収される。
【手続補正３０】
【補正対象書類名】明細書
【補正対象項目名】００６４
【補正方法】変更
【補正の内容】
【００６４】
また、ダンパ３１、３２において、閉鎖位置に位置する状態で、パッキン５３の表面のうち、内面壁１１ａと接する部分よりも外側の部分が、試験室１１内の空気に接する。そして、ダンパ３１、３２を閉鎖位置から開放位置に移動させる際に、パッキン５３のこの部分に結露によって発生した水滴が、断熱ユニット５１を超えて試験室１１内に飛散する虞がある。これに対して、本実施形態では、ダンパ３１、３２において、吸水シート５２が、断熱ユニット５１からはみ出している。これにより、パッキン５３に結露によって発生した水滴が、断熱ユニット５１を超えて試験室１１内に飛散しようとするときに、この水滴を吸水シート５２の断熱ユニット５１からはみ出した部分によって捕捉して、水滴が試験室１１内の試料体Ｗに付着してしまうのを抑制することができる。
【手続補正３１】
【補正対象書類名】明細書
【補正対象項目名】００６７
【補正方法】変更
【補正の内容】
【００６７】
そこで、本実施形態では、ダンパ３３、３４において、閉鎖位置に位置する状態で、断熱ユニット５１の対向面５１ａのうち、パッキン５３よりも内側の部分が、環境生成室２６内の空気に接するのに対して、当該部分に吸水シート５２が配置されている。これにより、ダンパ３３、３４において、当該部分に結露によって発生した水分が、吸水シート５２に吸収され、水滴が試料体Ｗに付着してしまうのを抑制することができる。
【手続補正３２】
【補正対象書類名】明細書
【補正対象項目名】００７１
【補正方法】変更
【補正の内容】
【００７１】
上述の実施形態では、ダンパ３１〜３４において、吸水シート５２が、断熱ユニット５１の対向面５１ａの全域にわたって配置されていたが、これには限られない。ダンパ３１、３２において、吸水シートが、断熱ユニット５１の対向面５１ａのうち、パッキン５３よりも外側の部分（閉鎖位置に位置する状態で試験室１１内の空気に接する部分）にのみ配置されていてもよい。あるいは、ダンパ３３、３４において、吸水シートが、断熱ユニット５１の対向面５１ａのうち、パッキン５３よりも内側の部分（閉鎖位置に位置する状態で環境生成室２６内の空気に接する部分）にのみ配置されていてもよい。
【手続補正３３】
【補正対象書類名】明細書
【補正対象項目名】００７２
【補正方法】変更
【補正の内容】
【００７２】
上述の実施形態では、環境生成室２１内の空気を、試験室１１内の空気よりも高温とし、環境生成室２６内の空気を、試験室１１内の空気よりも低温としたが、これには限られない。上述の実施形態とは逆に、環境生成室２１内の空気を、試験室１１内の空気よりも低温とし、環境生成室２６内の空気を、試験室１１内の空気よりも高温としてもよい。
【手続補正３４】
【補正対象書類名】明細書
【補正対象項目名】００７３
【補正方法】変更
【補正の内容】
【００７３】
この場合には、ダンパ３１、３２において、吸水シートが、断熱ユニット５１の対向面５１ａのうち、少なくともパッキン５３よりも内側の部分（閉鎖位置に位置する状態で環境生成室２１内の空気に接する部分）に配置されていればよい。また、ダンパ３３、３４において、吸水シートは、断熱ユニット５１の対向面５１ａのうち、少なくともパッキン５３よりも外側の部分（閉鎖位置に位置する状態で試験室１１内の空気に接する部分）に配置されていればよい。
【手続補正３５】
【補正対象書類名】明細書
【補正対象項目名】００７５
【補正方法】変更
【補正の内容】
【００７５】
また、恒温恒湿装置１は、環境生成室２１、２６が、試験室１１よりも高温及び低温のいずれの環境にもされ得るものであってもよい。この場合には、吸水シートが、断熱ユニット５１の対向面５１ａのうち、パッキン５３よりも外側の部分（閉鎖位置に位置する状態で試験室１１内の空気に接する部分）と、パッキン５３よりも内側の部分（閉鎖位置に位置する状態で環境生成室２１内の空気に接する部分）とにわたって配置されていればよい。また、ダンパ３３、３４において、吸水シートが、断熱ユニット５１の対向面５１ａのうち、パッキン５３よりも内側の部分（閉鎖位置に位置する状態で環境生成室２６内の空気に接する部分）と、パッキン５３よりも外側の部分（閉鎖位置に位置する状態で試験室１１内の空気に接する部分）とにわたって配置されていればよい。
【手続補正３６】
【補正対象書類名】明細書
【補正対象項目名】００７７
【補正方法】変更
【補正の内容】
【００７７】
上述の実施形態では、ダンパ３１〜３４が試験室１１内に配置されている。また、ダンパ３１、３２は、閉鎖位置に位置する状態で、パッキン５３が試験室１１の上側の内壁面１１ａの接続流路１６、１７の下端の開口１６ａ、１７ａを取り囲む部分に密着するものである。また、ダンパ３３、３４は、閉鎖位置に位置する状態で、パッキン５３が試験室１１の下側の内壁面１１ｂの接続流路１８、１９の上端の開口１８ａ、１９ａを取り囲む部分に密着するものである。しかしながら、これには限られない。
【手続補正３７】
【補正対象書類名】明細書
【補正対象項目名】００７８
【補正方法】変更
【補正の内容】
【００７８】
例えば、変形例１では、図４（ａ）、（ｂ）に示すように、接続流路１６に対して設けられたダンパ６１が、環境生成室２１内に配置されている。そして、ダンパ６１は、環境生成室２１内に配置された回転軸６１ａを中心に回転して、図４（ａ）に示す閉鎖位置と、図４（ｂ）に示す開放位置との間で移動可能となっている。また、ダンパ６１は、ダンパ３１と同様の構造を有するものであり、ダンパ３１と上下方向に対称な向きで配置されている。そして、ダンパ６１は、閉鎖位置に位置する状態で、パッキン５３が、環境生成室２１の下側の内壁面２１ａのうち、接続流路１６の上端（環境生成室２１側）の開口１６ｂを取り囲む部分と密着する。
【手続補正３８】
【補正対象書類名】明細書
【補正対象項目名】００７９
【補正方法】変更
【補正の内容】
【００７９】
接続流路１７に対して設けられるダンパについても、上述したのと同様に、環境生成室２１内に配置され、閉鎖位置に位置する状態で、パッキン５３が、環境生成室２１の下側の内壁面２１ａのうち、接続流路１７の上端（環境生成室２１側）の開口を取り囲む部分と密着するものとしてもよい。
【手続補正３９】
【補正対象書類名】明細書
【補正対象項目名】００８０
【補正方法】変更
【補正の内容】
【００８０】
また、接続流路１８、１９に対して設けられるダンパについても、環境生成室２６内に配置され、閉鎖位置に位置する状態で、パッキン５３が、環境生成室２６の上側の内壁面のうち、接続流路１８，１９の下端（環境生成室２６側）の開口を取り囲む部分と密着するものとしてもよい。
【手続補正４０】
【補正対象書類名】明細書
【補正対象項目名】００８１
【補正方法】変更
【補正の内容】
【００８１】
変形例１の場合には、ダンパ６１は、閉鎖位置に位置する状態で、断熱ユニット５１の対向面５１ａのうち、パッキン５３よりも内側の部分が、環境生成室２１内の空気よりも低温の試験室１１内の空気と接する。したがって、ダンパ６１においては、吸水シート５２は、断熱ユニット５１の対向面５１ａのうち、パッキン５３よりも内側の部分に少なくとも配置されていればよい。接続流路１７に対するダンパを環境生成室２１内に設ける場合についても同様である。
【手続補正４１】
【補正対象書類名】明細書
【補正対象項目名】００８２
【補正方法】変更
【補正の内容】
【００８２】
また、接続流路１８、１９に対するダンパを環境生成室２６内に設ける場合には、閉鎖位置に位置する状態で、断熱ユニット５１の対向面５１ａのうち、パッキン５３よりも外側の部分が、試験室１１内の空気よりも低温の環境生成室２６内の空気と接する。したがって、これらのダンパにおいては、吸水シート５２は、断熱ユニット５１の対向面５１ａのうち、パッキン５３よりも外側の部分に少なくとも配置されていればよい。
【手続補正４２】
【補正対象書類名】明細書
【補正対象項目名】００８５
【補正方法】変更
【補正の内容】
【００８５】
そして、ダンパ７１は、回転軸８１ａを中心に回転することによって、図５に実線で示す閉鎖位置と、図５に破線で示す開放位置との間で移動可能となっている。ダンパ７１が閉鎖位置に位置する状態では、パッキン８２が接続流路１６の内壁面１６ｃに密着し、接続流路１６がダンパ７１によって塞がれる。これにより、接続流路１６を介した試験室１１と環境生成室２１との連通がダンパ７１によって遮断される。ダンパ７１が開放位置に位置する状態では、ダンパ７１は接続流路１６を塞がず、接続流路１６を介して試験室１１と環境生成室２１とが連通する。
【手続補正４３】
【補正対象書類名】明細書
【補正対象項目名】００８６
【補正方法】変更
【補正の内容】
【００８６】
吸水シート８３は、断熱部材８１の、ダンパ７１が閉鎖位置に位置する状態で下側にくる面に配置されている。断熱部材８１のこの面は、ダンパ７１が閉鎖位置に位置する状態で、試験室１１内の空気に接する。
【手続補正４４】
【補正対象書類名】明細書
【補正対象項目名】００８７
【補正方法】変更
【補正の内容】
【００８７】
ダンパ７２〜７４も、ダンパ７１と同様の構造を有し、回転軸８１ａを中心に回転することによって、閉鎖位置と開放位置との間で移動可能となっている。そして、ダンパ７２においては、閉鎖位置に位置する状態で、パッキン８２が、接続流路１７の内壁面１７ｃに密着し、接続流路１７が、ダンパ７２によって塞がれる。これにより、接続流路１７を介した試験室１１と環境生成室２１との連通がダンパ７２によって遮断される。ダンパ７２が開放位置に位置する状態では、ダンパ７２は接続流路１７を塞がず、接続流路１７を介して試験室１１と環境生成室２１とが連通する。
【手続補正４５】
【補正対象書類名】明細書
【補正対象項目名】００８８
【補正方法】変更
【補正の内容】
【００８８】
ダンパ７３が閉鎖位置に位置する状態では、パッキン８２が接続流路１８の内壁面１８ｃに密着し、接続流路１８が、ダンパ７３によって塞がれる。これにより、接続流路１８を介した試験室１１と環境生成室２６との連通がダンパ７３によって遮断される。ダンパ７３が開放位置に位置する状態では、ダンパ７３は接続流路１８を塞がず、接続流路１８を介して試験室１１と環境生成室２６とが連通する。
【手続補正４６】
【補正対象書類名】明細書
【補正対象項目名】００８９
【補正方法】変更
【補正の内容】
【００８９】
ダンパ７４が閉鎖位置に位置する状態では、パッキン８２が接続流路１９の内壁面１９ｃに密着し、接続流路１９が、ダンパ７４によって塞がれる。これにより、接続流路１９を介した試験室１１と環境生成室２６との連通がダンパ７４によって遮断される。ダンパ７４が開放位置に位置する状態では、ダンパ７４は接続流路１９を塞がず、接続流路１９を介して試験室１１と環境生成室２６とが連通する。
【手続補正４７】
【補正対象書類名】明細書
【補正対象項目名】００９０
【補正方法】変更
【補正の内容】
【００９０】
また、ダンパ７２〜７４においても、断熱部材８１の、ダンパ７１が閉鎖位置に位置する状態で下側にくる面に吸水シート８３が配置される。具体的には、ダンパ７２において、吸水シート８３は、ダンパ７１が閉鎖位置に位置する状態で、断熱部材８１の試験室１１内の空気に接する部分に配置される。また、ダンパ７３、７４において、吸水シート８３は、ダンパ７１が閉鎖位置に位置する状態で、断熱部材８１の環境生成室２６内の空気に接する部分に配置される。
【手続補正４８】
【補正対象書類名】明細書
【補正対象項目名】００９１
【補正方法】変更
【補正の内容】
【００９１】
なお、変形例２の恒温恒湿装置も、環境生成室２１、２６が試験室１１よりも高温及び低温のいずれの環境にもされ得るものであってもよい。そして、この場合には、ダンパ７１〜７４において、断熱部材８１の、ダンパ７１〜７４が閉鎖位置に位置する状態で上側及び下側にくる両面に、吸水シートを配置すればよい。